(57)【要約】【課題】吸収コアの幅方向の長さを十分に短くすることができ、着用時の快適性をより高めることができる吸収性物品を提供する。【解決手段】吸収性物品（10）は、長手方向の中央を含む股下域（S3）と、股下域よりも前側に位置する前側域（S1）と、股下域よりも後側に位置する後側域(S2)と、少なくとも股下域に配置された吸収コア(50)と、を有する。吸収コアには、長手方向に延びる一対のサイドスリット(52)が形成されている。吸収コアは、サイドスリットによって挟まれた中央領域(RC)と、サイドスリットと吸収コアの外側縁の間に位置するサイド領域(RS)と、を有する。サイドスリットは、股下域においてサイド領域の幅方向の長さ以上の幅方向の長さを有する幅広部（53）を有する。幅広部の長手方向の中心(53CL)は、吸収性物品の長手方向の中心(10CL)よりも前側に位置する。【選択図】図１
2019170688.tif 000002
【特許請求の範囲】
【請求項１】
互いに直交する長手方向及び幅方向と、
前記長手方向の中央を含む股下域、前記股下域よりも前側に位置する前側域及び前記股下域よりも後側に位置する後側域と、
少なくとも前記股下域に配置された吸収コアと、を有し、
前記吸収コアには、前記長手方向に延びる一対のサイドスリットが形成されており、
前記吸収コアは、前記サイドスリットによって挟まれた中央領域と、前記サイドスリットと前記吸収コアの外側縁の間に位置するサイド領域と、を有する吸収性物品であって、
前記サイドスリットは、前記股下域において前記サイド領域の前記幅方向の長さ以上の前記幅方向の長さを有する幅広部を有し、
前記幅広部の前記長手方向の中心は、前記吸収性物品の前記長手方向の中心よりも前側に位置する、吸収性物品。
【請求項２】
前記サイドスリットの後端縁は、前記股下域内に位置する、請求項１に記載の吸収性物品。
【請求項３】
前記サイドスリットは、前記吸収コアの外側縁よりも前記幅方向の内側に位置する、請求項１又は請求項２のいずれかに記載の吸収性物品。
【請求項４】
前記吸収コアの肌面側に位置する表面シートと、
前記表面シートの肌面側に位置し、起立性の防漏ギャザーと、を有し、
前記防漏ギャザーは、防漏弾性部材の収縮によって起立する収縮部と、前記収縮部の立ち上がりの基点となる基点部と、有し、
前記収縮部よりも前記幅方向の外側に位置する前記基点部は、前記サイド領域と厚さ方向において重なっている、請求項１から請求項３のいずれか１項に記載の吸収性物品。
【請求項５】
前記サイド領域よりも前記幅方向の外側には、前記長手方向に収縮する脚回り弾性部材が設けられている、請求項１から請求項４のいずれか１項に記載の吸収性物品。
【請求項６】
前記幅広部を跨って前記幅方向に延びる仮想線上において、前記サイド領域の前記幅方向の長さは、前記中央領域の前記幅方向の長さよりも長い、請求項１から請求項５のいずれか１項に記載の吸収性物品。
【請求項７】
前記幅広部を跨って前記幅方向に延びる仮想線上において、前記サイド領域の前記幅方向の長さは、前記中央領域の前記幅方向の長さの１／２以下である、請求項１から請求項５のいずれか１項に記載の吸収性物品。
【請求項８】
前記吸収コアには、前記幅方向において前記サイドスリットの間に位置し、かつ前記長手方向に延びる中央スリットが形成されている、請求項１から請求項７のいずれか１項に記載の吸収性物品。
【請求項９】
前記吸収コアは、前記吸収コアの最大幅よりも前記幅方向の長さが短いくびれ部を有し、
前記くびれ部は、前記股下域に配置されている、請求項１から請求項８のいずれか１項に記載の吸収性物品。
【請求項１０】
前記くびれ部の前記長手方向の中心は、前記吸収性物品の前記長手方向の中心よりも前側に位置する、請求項９に記載の吸収性物品。
【請求項１１】
前記サイドスリットの前端縁は、前記くびれ部の前端縁よりも前側に位置し、
前記サイドスリットの後端縁は、前記くびれ部の後端縁よりも前側に位置する、請求項９又は１０に記載の吸収性物品。
【請求項１２】
前記幅広部は、前記長手方向において前記くびれ部が設けられた領域に配置されている、請求項９から請求項１１のいずれか１項に記載の吸収性物品。
【請求項１３】
前記サイドスリットの内側縁は、前記幅広部から後側に向かって前記幅方向の外側に延びている、請求項１から請求項１２のいずれか１項に記載の吸収性物品。
【発明の詳細な説明】
【技術分野】
【０００１】
本発明は、使い捨ておむつのような吸収性物品に関する。
【背景技術】
【０００２】
特許文献１には、着用者の股間の幅に合わせて吸収コアを幅狭に形成する吸収性物品が開示されている。特許文献１の吸収性物品は、表面シート及び吸収コアを有する上層と、裏面シート及び弾性部材を有する下層と、を有する。長手方向の中間に位置する中間部では、上層は、スリット等によって幅方向に３分割されており、中央部分と一対のサイド部分を有する。弾性部材は、長手方向に収縮可能であり、中央部分よりも幅方向の外側に配置されている。弾性部材が収縮することによって、中央部分よりも幅方向の外側が持ち上げられ、サイド部分が幅方向の内側に移動する。これにより、吸コア体の幅方向の長さが短くなるように構成されている。
【先行技術文献】
【特許文献】
【０００３】
【特許文献１】特開２０１２−１６４１４号公報
【発明の概要】
【０００４】
しかし、特許文献１の吸収性物品では、サイド部分の幅方向の内側部分が下層に接合されてなく、サイド部分のうち下層に接合されていない部分が幅方向の内側に移動する。また、特許文献１の吸収性物品では、サイド部分の幅方向の外側部分が下層に接合されており、サイド部分のうち下層に接合された部分は幅方向の内側に移動し難い。そのため、吸収コアの幅方向の長さを十分に短くすることができず、着用時の快適性をより高めることが求められていた。
【０００５】
よって、吸収コアの幅方向の長さを十分に短くすることができ、着用時の快適性をより高めることができる吸収性物品が望まれる。
【課題を解決するための手段】
【０００６】
一態様に係る吸収性物品は、互いに直交する長手方向及び幅方向と、前記長手方向の中央を含む股下域、前記股下域よりも前側に位置する前側域及び前記股下域よりも後側に位置する後側域と、少なくとも前記股下域に配置された吸収コアと、を有し、前記吸収コアには、前記長手方向に延びる一対のサイドスリットが形成されており、前記吸収コアは、前記サイドスリットによって挟まれた中央領域と、前記サイドスリットと前記吸収コアの外側縁の間に位置するサイド領域と、を有し、前記サイドスリットは、前記股下域において前記サイド領域の幅方向の長さ以上の前記幅方向の長さを有する幅広部を有し、前記幅広部の前記長手方向の中心は、前記吸収性物品の前記長手方向の中心よりも前側に位置する。
【図面の簡単な説明】
【０００７】
【図１】実施形態に係る吸収性物品を肌面側から見た平面図である。
【図２】実施の形態に係る吸収コアを肌面側から見た平面図である。
【図３】図１に示すＡ−Ａ線に沿った断面図である。
【図４】吸収コアの変形態様を示す図である。
【発明を実施するための形態】
【０００８】
（１）実施形態の概要
本明細書及び添付図面の記載により、少なくとも以下の事項が明らかとなる。
一態様に係る吸収性物品は、互いに直交する長手方向及び幅方向と、前記長手方向の中央を含む股下域、前記股下域よりも前側に位置する前側域及び前記股下域よりも後側に位置する後側域と、少なくとも前記股下域に配置された吸収コアと、を有し、前記吸収コアには、前記長手方向に延びる一対のサイドスリットが形成されており、前記吸収コアは、前記サイドスリットによって挟まれた中央領域と、前記サイドスリットと前記吸収コアの外側縁の間に位置するサイド領域と、を有し、前記サイドスリットは、前記股下域において前記サイド領域の幅方向の長さ以上の前記幅方向の長さを有する幅広部を有し、前記幅広部の前記長手方向の中心は、前記吸収性物品の前記長手方向の中心よりも前側に位置する。
【０００９】
サイドスリットの幅広部の幅方向の長さがサイド領域の幅方向の長さ以上であるため、サイド領域の幅方向の全域に亘ってサイドスリットが幅方向の内側に入り込むことができる。吸収体の幅方向の長さが短くなることで、吸収コアが股間内に収まり易くなり、着用時の違和感を抑制できる。幅広部の長手方向の中心は、吸収性物品の前記長手方向の中心よりも前側に位置しており、吸収性物品の前側において吸収体の幅方向の長さを短くする効果を得易い。よって、股間幅が狭くなる座位姿勢においても装着感を向上させることができる。
【００１０】
好ましい一態様によれば、前記サイドスリットの後端縁は、前記股下域内に位置してよい。
【００１１】
本態様によれば、サイドスリットの後端縁が股下域内に位置しており、サイドスリットが後側域に到達していない。よって、吸収体の幅方向の長さが短くなる領域が後側域に到達し難く、後側域の吸収体を広い幅で身体に当てて漏れを抑制できる。
【００１２】
好ましい一態様によれば、前記サイドスリットは、前記吸収コアの外側縁よりも前記幅方向の内側に位置してよい。
【００１３】
本態様によれば、サイド接合部の長手方向の外端縁から長手方向の内側に向かってサイド接合部を破る際に、直ぐに破り易い領域である親水性シートが配置された領域に到達できる。よって、使用者は、サイド接合部を容易に破り易くなる。
【００１４】
好ましい一態様によれば、前記吸収体の肌面側に位置する表面シートと、前記表面シートの肌面側に位置し、起立性の防漏ギャザーと、を有し、前記防漏ギャザーは、防漏弾性部材の収縮によって起立する収縮部と、前記収縮部の立ち上がりの基点となる基点部と、有し、前記収縮部よりも前記幅方向の外側に位置する前記基点部は、前記サイド領域と厚さ方向において重なってよい。
【００１５】
本態様によれば、収縮部よりも幅方向の外側に位置する基点部は、収縮部の収縮によって幅方向の内側かつ肌面側に引っ張られる。当該基点部がサイド領域と厚さ方向に重なっているため、サイド領域を幅方向の内側かつ肌面側に引っ張る力が発生する。着用時に幅方向の外側から内側に向かう力がかかった際に、サイド領域が中央領域の肌面側かつ幅方向の内側に移動し易くなる。よって、吸収コアの幅方向の長さが短くなり易い。
【００１６】
好ましい一態様によれば、前記サイド領域よりも前記幅方向の外側には、前記長手方向に収縮する脚回り弾性部材が設けられてよい。
【００１７】
本態様によれば、脚回り弾性部材の収縮によってサイド領域を肌面側に引き上げ、着用時に幅方向の外側から内側に向かう力がかかった際に、サイド領域が中央領域の肌面側かつ幅方向の内側に移動し易くなる。よって、吸収コアの幅方向の長さが短くなり易い。
【００１８】
好ましい一態様によれば、前記幅広部を跨って前記幅方向に延びる仮想線上において、前記サイド領域の前記幅方向の長さは、前記中央領域の前記幅方向の長さよりも長くてよい。
【００１９】
本態様によれば、サイド領域が幅方向の内側かつ中央領域の肌面側に移動すると、中央領域とサイド領域が重なり、吸収コア全体の幅方向の長さを短くできる。サイド領域の幅方向の長さが中央領域の幅方向の長さよりも長いため、中央領域の幅方向の範囲内にサイド領域を収まり易くでき、吸収コア全体の幅方向の長さを短くできる。
【００２０】
好ましい一態様によれば、前記幅広部を跨って前記幅方向に延びる仮想線上において、前記サイド領域の前記幅方向の長さは、前記中央領域の前記幅方向の長さの１／２以下であってよい。
【００２１】
本態様によれば、サイド領域が幅方向の内側かつ中央領域の肌面側に移動すると、中央領域上にサイド領域が重なる。このとき、サイド領域の幅方向の長さが中央領域の幅方向の長さの１／２以下であるため、サイド領域全体が中央領域に重なるように幅方向の内側に移動しても、サイド領域同士が重なることを抑制できる。よって、サイド領域同士が重なることによる局所的な厚みの増加を抑制し、装着感の低下を抑制できる。
【００２２】
好ましい一態様によれば、前記吸収コアには、前記幅方向において前記サイドスリットの間に位置し、かつ前記長手方向に延びる中央スリットが形成されてよい。
【００２３】
本態様によれば、中央スリットによって中央領域が厚さ方向に曲がりやすくなり、吸収体全体の幅方向の長さをより短くできる。
【００２４】
好ましい一態様によれば、前記吸収コアは、前記吸収コアの最大幅よりも前記幅方向の長さが短いくびれ部を有し、前記くびれ部は、前記股下域に配置されてよい。
【００２５】
本態様によれば、着用者の股間に挟まれる股下域の吸収コアの幅方向の長さが短いため、着用者の股間内に吸収コアがより収まり易く、着用時の違和感を抑制できる。
【００２６】
好ましい一態様によれば、前記くびれ部の前記長手方向の中心は、前記吸収性物品の前記長手方向の中心よりも前側に位置してよい。
【００２７】
本態様によれば、吸収性物品の前側において吸収体の幅方向の長さを短くする効果を得易い。よって、股間幅が狭くなる座位姿勢においても装着感を向上させることができる。
【００２８】
好ましい一態様によれば、前記サイドスリットの前端縁は、前記くびれ部の前端縁よりも前側に位置し、前記サイドスリットの後端縁は、前記くびれ部の後端縁よりも前側に位置してよい。
【００２９】
本態様によれば、サイドスリットによる変形基点をくびれ部の前側から後方にかけて形成することにより、座位姿勢においても装着感を向上させることができる。また、サイドスリットの後端縁がくびれ部の後端縁よりも後側に位置しており、サイドスリットよりも後側では吸収コアを身体に当てて漏れを抑制できる。
【００３０】
好ましい一態様によれば、前記幅広部は、前記長手方向において前記くびれ部が設けられた領域に配置されてよい。
【００３１】
本態様によれば、脚によって吸収コアが挾まれることにより、くびれ部における吸収コアの幅方向の長さが幅広部の変形によって短くなる。吸収コアが股間内により収まり易くなり、着用時の違和感を抑制できる。
【００３２】
好ましい一態様によれば、前記サイドスリットの内側縁は、前記幅広部から後側に向かって前記幅方向の外側に延びてよい。
【００３３】
本態様によれば、サイドスリットの内側縁が幅広部から後側に向かって幅方向の外側に延びているため、サイドスリットによって挟まれた中央領域の幅は、幅広部から後方に向かって長くなる。サイドスリット間の身体に当てて配置し易い領域を後方に向かって広く設けることができ、臀部に対して吸収コアを当てて漏れを抑制できる。
【００３４】
（２）吸収性物品の実施形態
以下、図面を参照して、実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３５】
図１は、本実施形態に係る吸収性物品１０を肌面側から見た平面図であり、図２は、実施形態に係る吸収コア５０を肌面側から見た平面図である。図１及び図２に示す平面図は、吸収性物品１０を皺が形成されない状態まで伸張させた伸張状態を示している。図３は、図１に示すＡ−Ａ線に沿った断面図である。本実施の形態の吸収性物品１０は、展開型の大人用の吸収性物品であるが、これに限定されない。吸収性物品１０は、パンツ型の吸収性物品であってもよいし、子供用の吸収性物品であってもよい。
【００３６】
吸収性物品１０は、互いに直交する長手方向Ｌ及び幅方向Ｗを有する。長手方向Ｌは、身体前側と身体後側とに延びる方向によって規定される。言い換えると、長手方向Ｌは、展開された吸収性物品１０において前後に延びる方向である。また、吸収性物品１０は、長手方向Ｌと幅方向Ｗの両方に直交する厚さ方向Ｔを有する。厚さ方向Ｔは、着用者側に向かう肌面側Ｔ１と、着用者から離れる側の非肌面側Ｔ２と、に延びる。本明細書において、「肌面側」は、使用中に着用者の肌に面する側に相当する。「非肌面側」は、使用中に着用者の肌とは反対に向けられる側に相当する。
【００３７】
吸収性物品１０は、前側域Ｓ１と、後側域Ｓ２と、股下域Ｓ３と、を有する。前側域Ｓ１は、使用時に着用者の身体前側に面する。後側域Ｓ２は、使用時に着用者の身体後側に面する。股下域Ｓ３は、前側域Ｓ１と後側域Ｓ２との間に位置し、使用時に着用者の股下に配置される。股下域Ｓ３は、脚回り開口部６５が設けられた領域であり、前側域Ｓ１と股下域Ｓ３との境界は、脚回り開口部６５の前端縁によって規定され、後側域Ｓ２と股下域Ｓ３との境界は、脚回り開口部６５の後端縁によって規定されてよい。脚回り開口部６５は、吸収性物品の本体部（吸収性物品において後述するファスニングテープ９４を除いた部分）の外側縁において幅方向Ｗの内側に凹んだ部分である。なお、本実施の形態において外側縁は、幅方向の外側の端縁であり、内側縁は、幅方向の内側の端縁である。
【００３８】
吸収性物品１０は、少なくとも股下域Ｓ３に配置された吸収コア５０を有する。吸収コア５０は、股下域Ｓ３から前側域Ｓ１及び後側域Ｓ２へ延びていてよい。吸収コア５０は、例えば粉砕パルプもしくは高吸収性ポリマー（ＳＡＰ）、又はこれらの混合物を含む吸収材料の積層体であってよい。吸収性物品１０は、吸収コア５０と、コアラップ５６と、を含む吸収体を有してよい。コアラップ５６は、吸収コア５０の肌面側と非肌面側を覆うように配置され、例えば、ティッシュや不織布シートであってよい。吸収コアの構成については、後述にて詳細に説明する。
【００３９】
吸収性物品１０は、吸収コア５０の肌面側Ｔ１に位置する肌面シート４１と、吸収コア５０の非肌面側Ｔ２に位置する非肌面シート４２と、を有してよい。肌面シート４１は、表面シート４１ａと、サイドシート４１ｂと、を有してよい。表面シート４１ａは、液透過性を有し、吸収コア５０の少なくとも幅方向Ｗの中心を覆うように配置されてよい。サイドシート４１ｂは、疎水性を有する不織布からなり、吸収コア５０の幅方向Ｗの中心よりも幅方向Ｗの外側において、幅方向Ｗにおける表面シート４１ａの両側部を覆うように配置されてよい。非肌面シート４２は、液不透過性を有し、吸収コア５０よりも非肌面側に設けられてよい。非肌面シート４２は、液不透過性のバックフィルム４２ａと、バックフィルム４２ａの非肌面側Ｔ２に配置されたバック不織布４２ｂと、を有してよい。
【００４０】
吸収性物品１０は、起立性の防漏ギャザー６０を有してよい。防漏ギャザー６０は、表面シート４１ａの肌面側に位置し、表面シート４１ａに対して起立可能である。防漏ギャザー６０は、防漏弾性部材６６の収縮によって起立する収縮部６１と、収縮部６１の立ち上がりの基点となる基点部６２と、を有する。基点部６２は、収縮部６１よりも幅方向Ｗの外側に位置する第１基点部６２ａ（図２参照）と、収縮部６１よりも長手方向Ｌの外側に位置する第２基点部６２ｂ（図１参照）と、を有してよい。防漏弾性部材６６は、サイドシート４１ｂの内側縁に配置されており、サイドシート４１ｂの内側縁を着用者側に起立させる。
【００４１】
吸収性物品１０は、脚回り開口部６５に配置される脚回り弾性部材６７を有してよい。脚回り弾性部材６７は、脚回り開口部６５に沿って配置されており、脚回り開口部６５を着用者の脚回りにフィットさせる。脚回り弾性部材６７は、サイドシート４１ｂとバックフィルム４２ａの間に配置されている。防漏弾性部材６６及び脚回り弾性部材６７は、長手方向Ｌに伸縮可能であり、長手方向Ｌに沿って配置されてよい。
【００４２】
吸収性物品１０は、後側域Ｓ２の幅方向Ｗの両外側部に設けられたファスニングテープ９４を有してよい。ファスニングテープ９４は、前側域Ｓ１に係合する係合部９６を有してよい。
【００４３】
次いで、吸収コア５０の構成について詳細に説明する。吸収コア５０には、スリットが形成されてよい。スリットは、吸収コア５０を構成する吸収材料が実質的に配置されていない部分である。スリットは、吸収材料の坪量が０の部分又は周囲からの零れた吸収材料が配置されているが、設計上の吸収材料が０の部分である。スリットは、吸収コア５０が力を受けた際に、変形を吸収したり、変形の基点となったりする。スリットは、一対のサイドスリット５２と中央スリット５５を有してよい。
【００４４】
図２に示すように、吸収コア５０は、サイドスリット５２によって挟まれた中央領域ＲＣと、サイドスリット５２と吸収コア５０の外側縁５０Ｓの間に位置するサイド領域ＲＳと、を有してよい。図２において、中央領域ＲＣとサイド領域ＲＳに異なる斜線を付して示す。サイド領域ＲＳは、各サイドスリット５２の幅方向Ｗの外側に位置し、一対で設けられている。中央領域ＲＣ及びサイド領域ＲＳは、サイドスリット５２から幅方向Ｗに沿って延びる領域である。中央スリット５５の少なくとも一部は、中央領域ＲＣに配置されてよい。
【００４５】
サイドスリット５２は、少なくとも股下域Ｓ３に配置されてよい。サイドスリット５２の前端縁は、前側域Ｓ１に配置されてもよいし、股下域に配置されてもよい。サイドスリット５２の後端縁５２Ｒは、股下域Ｓ３に配置されてよい。サイドスリット５２は、少なくとも長手方向Ｌに延びていればよく、長手方向Ｌに沿っていてもよいし、長手方向Ｌに対して傾斜する部分を有してもよい。サイドスリット５２の幅方向Ｗの長さは、一定であってもよいし、変化していてもよい。サイドスリット５２は、吸収コア５０の幅方向Ｗの中心に対して対称に一対で設けられてよい。
【００４６】
サイドスリット５２は、幅広部５３を有している。幅広部５３は、サイド領域ＲＳの幅方向Ｗの長さ以上の幅方向Ｗの長さを有する部分である。幅広部５３の幅方向Ｗの長さは、吸収性物品１０の伸長状態において、当該幅広部５３に対して隣接するサイド領域ＲＳの幅方向Ｗの長さ以上であればよい。幅広部５３の少なくとも一部は、股下域Ｓ３に配置されており、幅広部５３の長手方向Ｌの全域が股下域Ｓ３に配置されてもよい。幅広部５３の前端縁は、股下域Ｓ３に配置されてよい。幅広部５３の長手方向Ｌの中心５３ＣＬは、吸収性物品１０の長手方向Ｌの中心１０ＣＬよりも前側に位置しており、股下域Ｓ３の長手方向Ｌの中心よりも前側に位置してよい。
【００４７】
サイドスリット５２は、吸収コア５０の外側縁５０Ｓよりも幅方向の内側に位置し、吸収コア５０の外側縁５０Ｓに到達してなくてよい。この構成によれば、サイドスリット５２よりも幅方向Ｗの外側に吸収材料が存在する。当該吸収材料でサイドスリット５２によって拡散した体液を保持し、横漏れを抑制できる。
【００４８】
中央スリット５５は、幅方向Ｗにおいてサイドスリット５２の間に位置し、かつ長手方向Ｌに延びてよい。中央スリット５５の少なくとも一部は、股下域Ｓ３に配置されてよい。中央スリット５５の前端縁５５Ｆは、股下域Ｓ３に配置され、中央スリット５５の後端縁５５Ｒは、股下域Ｓ３内で終端してよい。中央スリット５５は、少なくとも長手方向Ｌに延びていればよく、長手方向Ｌに沿っていてもよいし、長手方向Ｌに対して傾斜する部分を有してもよい。中央スリット５５の長手方向Ｌの中心５５ＣＬは、吸収性物品１０の長手方向Ｌの中心よりも前側に位置しており、股下域Ｓ３の長手方向Ｌの中心Ｓ３ＣＬよりも後側に位置してよい。中央スリット５５は、サイドスリット５２よりも後側に偏倚してよい。
【００４９】
次いで、このように構成された吸収性物品１０の変形態様について説明する。図４は、着用時に吸収体の変形状態を模式的に示した図である。図４は、図３に示す断面における吸収体の変形態様を模式的に示している。吸収性物品１０が着用された状態で、吸収性物品１０が両脚によって挟まれることにより、股下域Ｓ３には、脚によって幅方向Ｗの内側に向かう力がかかる。股下域Ｓ３の吸収体に幅方向Ｗの内側に向かう力がかかると、吸収コア５０のサイドスリット５２が変形し、サイド領域ＲＳが幅方向Ｗの内側に移動し（図４（ａ）の矢印Ａ）、吸収体の幅方向Ｗの長さが短くなる。
【００５０】
このとき、サイド領域ＲＳが幅方向Ｗの内側に移動できる最大長さは、サイドスリット５２の幅方向Ｗの最大長さ、すなわち幅広部５３の幅方向Ｗの長さとなる。サイドスリット５２の幅広部５３の幅方向Ｗの長さがサイド領域ＲＳの幅方向Ｗの長さ以上であるため、サイド領域ＲＳの幅方向の全域が幅方向の内側に入り込むことができる。吸収体の幅方向の長さが短くなることで、吸収コア５０が股間内に収まり易くなり、着用時の違和感を抑制できる。
【００５１】
着用者の股間の幅は、姿勢によって変化しており、仰向けの姿勢、横向きに寝た姿勢、座位姿勢の順に狭くなる。特に座位姿勢では、脚による力が吸収性物品１０の前側にかかり易い。幅広部５３の長手方向Ｌの中心は、吸収性物品１０の長手方向Ｌの中心よりも前側に位置しており、吸収性物品１０の前側において吸収体の幅方向の長さを短くする効果を得易い。よって、股間幅が狭くなる座位姿勢においても装着感を向上させることができる。
【００５２】
座位姿勢で股間内に吸収体が収まらずに違和感が生じると、快適性を阻害したり、後にもたれ掛るような姿勢となって座る位置がずれたりするおそれがある。より詳細には座位姿勢は、脚を閉じている状態で安定した姿勢を維持し易く、脚を閉じ難い状態（脚が開いた状態）では、重心が後側に傾き、椅子などの背もたれに寄りかかり、座る位置のずれが生じ易い。本実施の形態の吸収性物品によれば、座位姿勢において吸収体が股間内に収まり易いため、快適性を高めるとともに、適切な座位姿勢を維持し易くなる。
【００５３】
なお、吸収性物品１０が両脚によって挟まれることによる吸収体の変形は、図４（ａ）に示すように、吸収体の幅方向の中心を頂点とした凸形状となるように変形してもよいし、吸収体が厚さ方向に変形せず、サイド領域ＲＳが幅方向の内側にスライド移動してもよい。サイド領域ＲＳがスライド移動する変形においても、サイドスリット５２の幅方向の長さ分、吸収コアの幅方向の長さが短くなる。
【００５４】
サイドスリット５２の後端縁５２Ｒは、股下域Ｓ３内に位置しており、サイドスリット５２が後側域Ｓ２に到達していなくてよい。この構成によれば、吸収体の幅方向Ｗの長さが短くなる領域が後側域Ｓ２に到達し難く、後側域Ｓ２の吸収コア５０を広い幅で身体に当て漏れを抑制できる。
【００５５】
防漏ギャザー６０を構成する基点部６２のうち収縮部６１よりも幅方向Ｗの外側に位置する第１基点部６２ａは、サイド領域ＲＳと厚さ方向Ｔにおいて重なってよい。収縮部６１よりも幅方向Ｗの外側に位置する第１基点部６２ａは、収縮部６１の収縮によって幅方向Ｗの内側かつ肌面側Ｔ１に引っ張られる。第１基点部６２ａがサイド領域ＲＳと厚さ方向Ｔに重なっているため、サイド領域ＲＳを幅方向Ｗの内側かつ肌面側Ｔ１に引っ張る力が発生する。着用時に向かう力がかかった際に、サイド領域ＲＳが中央領域ＲＣの肌面側Ｔ１（図４（ａ）の幅方向の外側から内側に矢印Ｂ）かつ幅方向の内側（図４（ａ）の矢印Ａ）に引っ張られる。よって、サイド領域ＲＳが中央領域ＲＣの肌面側Ｔ１かつ幅方向Ｗの内側に移動し、吸収コア５０の幅方向の長さがより短くなり易い。図４（ａ）に示す状態において、サイド領域ＲＳが中央領域ＲＣの肌面側Ｔ１かつ幅方向Ｗの内側に更に移動することにより、図４（ｂ）に示す状態となる。図４（ｂ）に示す状態では、中央領域ＲＣとサイド領域ＲＳが厚さ方向において重なっており、吸収体の幅方向の長さがより短くなっている。
【００５６】
図１に示す吸収性物品の伸長状態において、防漏ギャザー６０の収縮部６１の内側縁は、サイドスリット５２の幅広部５３と厚さ方向に重なってよい。収縮部６１が幅広部５３と厚さ方向Ｔに重なっているため、幅広部５３を幅方向Ｗの内側かつ肌面側Ｔ１に引っ張る力が発生する。着用時に幅方向の外側から内側に向かう力がかかった際に、図４（ａ）の矢印Ｂに示すように、サイド領域ＲＳが中央領域ＲＣの肌面側かつ幅方向の内側に引っ張られ易い。よって、サイド領域ＲＳが中央領域ＲＣの肌面側かつ幅方向の内側に移動し、吸収コア５０の幅方向の長さがより短くなり易い。
【００５７】
サイド領域ＲＳよりも幅方向の外側には、長手方向Ｌに収縮する脚回り弾性部材６７が設けられてよい。脚回り弾性部材６７の収縮によってサイド領域ＲＳを肌面側Ｔ１に引き上げ、着用時に幅方向の外側から内側に向かう力がかかった際に、サイド領域ＲＳが中央領域ＲＣの肌面側Ｔ１かつ幅方向の内側に移動し易くなる。よって、吸収コア５０の幅方向の長さが短くなり易い。
【００５８】
幅広部５３を跨って幅方向に延びる仮想線（例えば、ＦＬ１）上において、サイド領域ＲＳの幅方向Ｗの長さは、中央領域ＲＣの幅方向Ｗの長さよりも長くてよい。サイド領域ＲＳが幅方向の内側かつ中央領域ＲＣの肌面側Ｔ１に移動すると、中央領域ＲＣとサイド領域ＲＳが重なり、吸収コア５０全体の幅方向の長さを短くできる。サイド領域ＲＳの幅方向の長さが中央領域ＲＣの幅方向の長さよりも長いため、中央領域ＲＣの幅方向の範囲内にサイド領域ＲＳを収まり易くでき、吸収コア５０全体の幅方向の長さを短くできる。なお、仮想線ＦＬ１は、幅方向に沿って延びる線であって、幅広部５３と重なって配置される線である。仮想線ＦＬ１は、幅広部５３の前端縁から後端縁までの領域の少なくとも一部と重なっていればよい。
【００５９】
より好適には、幅広部５３を跨って幅方向に延びる仮想線ＦＬ１上において、サイド領域ＲＳの幅方向の長さは、中央領域ＲＣの幅方向の長さの１／２以下であってよい。サイド領域ＲＳが幅方向の内側かつ中央領域ＲＣの肌面側に移動すると、中央領域ＲＣ上にサイド領域ＲＳが重なる。このとき、サイド領域ＲＳの幅方向の長さが中央領域ＲＣの幅方向の長さの１／２以下であるため、サイド領域ＲＳ全体が中央領域ＲＣに重なるように幅方向の内側に移動しても、サイド領域ＲＳ同士が重なることを抑制できる。よって、サイド領域ＲＳ同士が重なることによる局所的な吸収コアの厚みの増加を抑制できる。よって、局所的な吸収コアの厚みの増加による圧力の集中が生じ難く、装着感の悪化を抑制できる。
【００６０】
吸収コア５０には、幅方向Ｗにおいてサイドスリット５２の間に位置し、かつ長手方向Ｌに延びる中央スリット５５が形成されてよい。中央スリット５５によって中央領域ＲＣが厚さ方向に曲がりやすくなり、吸収体全体の幅方向の長さをより短くできる。より詳細には、着用時に幅方向の外側から内側に向かう力がかかった際に、図４（ａ）の矢印Ｃに示すように、中央領域ＲＣの外側縁（サイドスリット５２）を起点として、中央領域ＲＣの内側縁が肌面側に向かうように、吸収コア５０が変形し易い。よって、吸収コア５０の幅方向の長さがより短くなり易い。
【００６１】
吸収コア５０は、吸収コア５０の最大幅よりも幅方向Ｗの長さが短いくびれ部５１を有してよい。吸収コア５０の最大幅５０Ｍの領域は、前側域Ｓ１と股下域Ｓ３に跨がって配置されるとともに、後側域Ｓ２と股下域Ｓ３に跨がって配置されている。吸収コア５０のくびれ部５１は、股下域Ｓ３に配置されてよい。着用者の股間に挟まれる股下域Ｓ３の吸収コア５０の幅方向Ｗの長さが短いため、着用者の股間内に吸収コア５０が収まり易く、着用時の違和感を抑制できる。
【００６２】
くびれ部５１の長手方向Ｌの中心５１ＣＬは、吸収性物品１０の長手方向Ｌの中心１０ＣＬよりも前側に位置してよい。吸収性物品１０の前側において吸収体の幅方向Ｗの長さを短くする効果を得易い。よって、股間幅が狭くなる座位姿勢においても装着感を向上させることができる。
【００６３】
サイドスリット５２の前端縁は、くびれ部５１の前端縁５１Ｆよりも前側に位置し、サイドスリット５２の後端縁５２Ｒは、くびれ部５１の後端縁５１Ｒよりも前側に位置してよい。幅広部５３の前後方向の中心５３ＣＬは、くびれ部５１の前後方向の中心５１ＣＬよりも前側に位置してよい。股間幅が狭くなる座位姿勢では、脚によって挟まれる領域（くびれ部）のみならず、くびれ部５１よりも前側にも脚による力がかかり易い。サイドスリット５２による変形基点をくびれ部５１の前側から後方にかけて形成することにより、座位姿勢においても装着感を向上させることができる。また、サイドスリット５２の後端縁がくびれ部５１の後端縁よりも後側に位置しており、サイドスリット５２よりも後側では吸収コア５０を身体に当てて漏れを抑制できる。
【００６４】
幅広部５３は、長手方向Ｌにおいてくびれ部５１が設けられた領域に配置されてよい。脚によって吸収コア５０が挾まれることにより、くびれ部５１における吸収コア５０の幅方向の長さが幅広部５３の変形によって短くなる。吸収コア５０が股間内により収まり易くなり、着用時の違和感を抑制できる。
【００６５】
サイドスリット５２の内側縁５２ＩＳは、幅広部５３の後端縁から後側に向かって幅方向の外側に延びてよい。サイドスリット５２の内側縁が幅広部５３の後端縁から後側に向かって幅方向の外側に延びているため、サイドスリット５２によって挟まれた中央領域ＲＣの幅は、幅広部５３から後方に向かって長くなる。サイドスリット５２間の身体に当てて配置し易い領域を後方に向かって広く設けることができ、臀部に対して吸収コア５０を当てて漏れを抑制できる。
【００６６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００６７】
１０    ：吸収性物品
５０    ：吸収コア
５１    ：くびれ部
５２    ：サイドスリット
５２Ｒ    ：サイドスリットの後端縁
５３    ：幅広部
５５    ：中央スリット
６０    ：防漏ギャザー
６１    ：収縮部
６２ａ    ：第１基点部（基点部）
６７    ：脚回り弾性部材
ＲＣ    ：中央領域
ＲＳ    ：サイド領域
Ｓ１    ：前側域
Ｓ２    ：後側域
Ｓ３    ：股下域
Ｌ      ：長手方向
Ｔ      ：厚さ方向
Ｔ１    ：肌面側
Ｔ２    ：非肌面側
Ｗ      ：幅方向
【図１】
2019170688.tif 000003
【図２】
2019170688.tif 000004
【図３】
2019170688.tif 000005
【図４】
2019170688.tif 000006
【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
互いに直交する長手方向及び幅方向と、
前記長手方向の中央を含む股下域、前記股下域よりも前側に位置する前側域及び前記股下域よりも後側に位置する後側域と、
少なくとも前記股下域に配置された吸収コアと、を有し、
前記吸収コアには、前記長手方向に延びる一対のサイドスリットが形成されており、
前記吸収コアは、前記サイドスリットによって挟まれた中央領域と、前記サイドスリットと前記吸収コアの外側縁の間に位置するサイド領域と、を有する吸収性物品であって、
前記サイドスリットは、前記股下域において前記サイド領域の前記幅方向の長さ以上の前記幅方向の長さを有する幅広部を有し、
前記幅広部の前記長手方向の中心は、前記吸収性物品の前記長手方向の中心よりも前側に位置する、吸収性物品。
【請求項２】
前記サイドスリットの後端縁は、前記股下域内に位置する、請求項１に記載の吸収性物品。
【請求項３】
前記サイドスリットは、前記吸収コアの外側縁よりも前記幅方向の内側に位置する、請求項１又は請求項２のいずれかに記載の吸収性物品。
【請求項４】
前記吸収コアの肌面側に位置する表面シートと、
前記表面シートの肌面側に位置し、起立性の防漏ギャザーと、を有し、
前記防漏ギャザーは、防漏弾性部材の収縮によって起立する収縮部と、前記収縮部の立ち上がりの基点となる基点部と、を有し、
前記収縮部よりも前記幅方向の外側に位置する前記基点部は、前記サイド領域と厚さ方向において重なっている、請求項１から請求項３のいずれか１項に記載の吸収性物品。
【請求項５】
前記サイド領域よりも前記幅方向の外側には、前記長手方向に収縮する脚回り弾性部材が設けられている、請求項１から請求項４のいずれか１項に記載の吸収性物品。
【請求項６】
前記幅広部を跨って前記幅方向に延びる仮想線上において、前記サイド領域の前記幅方向の長さは、前記中央領域の前記幅方向の長さよりも短い、請求項１から請求項５のいずれか１項に記載の吸収性物品。
【請求項７】
前記幅広部を跨って前記幅方向に延びる仮想線上において、前記サイド領域の前記幅方向の長さは、前記中央領域の前記幅方向の長さの１／２以下である、請求項１から請求項５のいずれか１項に記載の吸収性物品。
【請求項８】
前記吸収コアには、前記幅方向において前記サイドスリットの間に位置し、かつ前記長手方向に延びる中央スリットが形成されている、請求項１から請求項７のいずれか１項に記載の吸収性物品。
【請求項９】
前記吸収コアは、前記吸収コアの最大幅よりも前記幅方向の長さが短いくびれ部を有し、
前記くびれ部は、前記股下域に配置されている、請求項１から請求項８のいずれか１項に記載の吸収性物品。
【請求項１０】
前記くびれ部の前記長手方向の中心は、前記吸収性物品の前記長手方向の中心よりも前側に位置する、請求項９に記載の吸収性物品。
【請求項１１】
前記サイドスリットの前端縁は、前記くびれ部の前端縁よりも前側に位置し、
前記サイドスリットの後端縁は、前記くびれ部の後端縁よりも前側に位置する、請求項９又は１０に記載の吸収性物品。
【請求項１２】
前記幅広部は、前記長手方向において前記くびれ部が設けられた領域に配置されている、請求項９から請求項１１のいずれか１項に記載の吸収性物品。
【請求項１３】
前記サイドスリットの内側縁は、前記幅広部から後側に向かって前記幅方向の外側に延びている、請求項１から請求項１２のいずれか１項に記載の吸収性物品。
【手続補正２】
【補正対象書類名】明細書
【補正対象項目名】００１８
【補正方法】変更
【補正の内容】
【００１８】
好ましい一態様によれば、前記幅広部を跨って前記幅方向に延びる仮想線上において、前記サイド領域の前記幅方向の長さは、前記中央領域の前記幅方向の長さよりも短くてよい。
【手続補正３】
【補正対象書類名】明細書
【補正対象項目名】００１９
【補正方法】変更
【補正の内容】
【００１９】
本態様によれば、サイド領域が幅方向の内側かつ中央領域の肌面側に移動すると、中央領域とサイド領域が重なり、吸収コア全体の幅方向の長さを短くできる。サイド領域の幅方向の長さが中央領域の幅方向の長さよりも短いため、中央領域の幅方向の範囲内にサイド領域を収まり易くでき、吸収コア全体の幅方向の長さを短くできる。
【手続補正４】
【補正対象書類名】明細書
【補正対象項目名】００５８
【補正方法】変更
【補正の内容】
【００５８】
幅広部５３を跨って幅方向に延びる仮想線（例えば、ＦＬ１）上において、サイド領域ＲＳの幅方向Ｗの長さは、中央領域ＲＣの幅方向Ｗの長さよりも短くてよい。サイド領域ＲＳが幅方向の内側かつ中央領域ＲＣの肌面側Ｔ１に移動すると、中央領域ＲＣとサイド領域ＲＳが重なり、吸収コア５０全体の幅方向の長さを短くできる。サイド領域ＲＳの幅方向の長さが中央領域ＲＣの幅方向の長さよりも短いため、中央領域ＲＣの幅方向の範囲内にサイド領域ＲＳを収まり易くでき、吸収コア５０全体の幅方向の長さを短くできる。なお、仮想線ＦＬ１は、幅方向に沿って延びる線であって、幅広部５３と重なって配置される線である。仮想線ＦＬ１は、幅広部５３の前端縁から後端縁までの領域の少なくとも一部と重なっていればよい。